(57)【要約】【目的】  映像音声同期等のために映像の先行デコードがなされる場合でも、画面切替時に映像の途切れを生じることのない映像音声出力装置を提供する。【構成】  スイッチ１１は、ビデオバッファ９から出力される映像データをフレームメモリ１２に供給するか又はサイズ変換部１０に供給するかを切り替えるものであり、画面の縦横切替が発生したとき、その時点から２フレーム分だけ、前記ビデオバッファ９から出力される映像データをサイズ変換部１０に供給する。サイズ変換部１０は縦画面映像データを横画面映像データに変換する処理及び横画面映像データを縦画面映像データに変換する処理を行う。サイズ変換部１０から出力される変換データはフレームメモリ１２に格納される。【選択図】        図２
2006166034.tif 000002
【特許請求の範囲】
【請求項１】
映像ストリームを音声に対して１フレーム又は複数フレーム先行してデコードし、先行デコードにより得られた映像データをバッファに格納すると共に、前記映像データを画面の縦配置と横配置に応じて生成するように構成された映像音声出力装置において、前記バッファから読み出した映像データが縦画面用であるときには拡大処理する一方、横画面用であるときには縮小処理を行うサイズ変換部と、前記バッファから出力される映像データと前記サイズ変換された映像データのいずれかを選択して出力する選択手段と、前記画面の縦配置と横配置の切替時に前記１フレーム分又は数フレーム分について前記サイズ変換された映像データの方を前記選択手段に選択させる制御手段と、を備えたことを特徴とする映像音声出力装置。
【請求項２】
請求項１に記載の映像音声出力装置において、地上ディジタル放送を受信する放送受信部を備え、受信した放送波から映像ストリーム及び音声ストリームを生成するように構成されたことを特徴とする映像音声出力装置。
【請求項３】
請求項１又は請求項２に記載の映像音声出力装置において、通信機能部を備え、通信にて受信した信号から映像ストリーム及び音声ストリームを生成するように構成されたことを特徴とする映像音声出力装置。
【請求項４】
請求項１乃至請求項３のいずれかに記載の映像音声出力装置において、携帯型又は移動型として構成されたことを特徴とする映像音声出力装置。
【発明の詳細な説明】
【技術分野】
【０００１】
この発明は、ディジタル放送を受信するディジタル放送受信装置などの映像音声出力装置に関する。
【背景技術】
【０００２】
従来より、地上アナログ放送を受信するＴＶ機能を備えた携帯電話が知られている（特許文献１参照）。また、携帯機器或いは移動機器用に地上ディジタル放送（１セグメント放送）が予定されており、この地上ディジタル放送を受信できるＴＶ付き携帯電話も提案されるであろう。そして、このようなＴＶ付き携帯電話において、縦画面での映像表示と横画面での映像表示を切り替えることが考えられる。
【０００３】
図５はディジタル放送受信のための従来回路構成を示したブロック図である。ディジタル放送受信では、アンテナ１にて受信した電波のなかから選択されたチャンネルの放送波をチューナ２にて復調し、分離部（デマルチプレクサ）３にてビデオＥＳ（エレメンタリ・ストリーム）やオーディオＥＳ（エレメンタリ・ストリーム）に分離し、それぞれバッファ４，５に格納する。そして、各デコーダ６，７にてデコードを行い、ＡＶ同期コントローラ８の指示にて映像及び音声のデータ出力を行う。ここで、映像音声同期再生や映像の並び替えのため、映像を先行してデコードしておくことが一般的である。そして、特にソフトウェアデコーダなどのようなリアルタイムデコードが難しいデコード構成では、映像の先行デコードは有効なものとなる。この先行デコードにより得られた映像データは、ビデオバッファ９に格納される。
【０００４】
また、先述したように、縦画面での映像表示と横画面での映像表示を切り替える場合（以下、単に画面切替という）、映像データに対するサイズ変換が必要となるが、このサイズ変換はビデオデコーダ７において行うことになる。また、画面切替時の映像の９０°回転処理は、前記ビデオバッファ９の後段に設けられるフレームメモリへのデータ書込処理或いはフレームメモリからのデータ読出処理において行う。
【特許文献１】特開２００３−１１１０４０号公報
【発明の開示】
【発明が解決しようとする課題】
【０００５】
しかしながら、上記従来の回路構成では、画面切替時には、先行デコードで得ていた映像データを破棄する必要があるため、画面切替を行ったときに映像が途切れるというという欠点があった。
【０００６】
この発明は、上記の事情に鑑み、画面切替を行っても映像の途切れを生じることのない映像音声出力装置を提供することを目的とする。
【課題を解決するための手段】
【０００７】
この発明の映像音声出力装置は、上記課題を解決するために、映像ストリームを音声に対して１フレーム又は複数フレーム先行してデコードし、先行デコードにより得られた映像データをバッファに格納すると共に、前記映像データを画面の縦配置と横配置に応じて生成するように構成された映像音声出力装置において、前記バッファから読み出した映像データが縦画面用であるときには拡大処理する一方、横画面用であるときには縮小処理を行うサイズ変換部と、前記バッファから出力される映像データと前記サイズ変換された映像データのいずれかを選択して出力する選択手段と、前記画面の縦配置と横配置の切替時に前記１フレーム分又は数フレーム分について前記サイズ変換された映像データの方を前記選択手段に選択させる制御手段と、を備えたことを特徴とする。
【０００８】
上記の構成であれば、映像音声同期等のために１フレーム又は複数フレームの先行デコードがなされる場合でも、画面の縦配置と横配置の切替時に前記数フレーム分について前記サイズ変換された映像データが直ちに出力されるから、画面切替を行っても映像の途切れは生じないことになる。
【０００９】
上記構成の映像音声出力装置において、地上ディジタル放送を受信する放送受信部を備え、受信した放送波から映像ストリーム及び音声ストリームを生成するように構成されていてもよい。また、これら構成の映像音声出力装置において、通信機能部を備え、通信にて受信した信号から映像ストリーム及び音声ストリームを生成するように構成されていてもよい。
【００１０】
また、これら構成の映像音声出力装置は、携帯型又は移動型として構成されていてもよい。
【発明の効果】
【００１１】
以上説明したように、この発明によれば、映像音声同期等のために映像の先行デコードがなされる場合でも、画面切替時に映像の途切れを生じることはないという効果を奏する。
【発明を実施するための最良の形態】
【００１２】
以下、この発明の実施形態の映像音声出力装置を図１乃至図４に基づいて説明する。なお、ここでは、映像音声出力装置としてＴＶ（地上ディジタル放送受信機能）付き携帯電話を例示している。また、説明の便宜上、図２において、図５中の構成要素と共通する構成要素には同一の符号を付記している。
【００１３】
図１はＴＶ付き携帯電話１００を示したブロック図である。このＴＶ付き携携帯電話１００は、電話機能部３０とディジタル放送受信部２０とを備えて成る。電話機能部３０は、制御部３１と、無線通信部３２と、音声処理部３３と、メモリ部３４と、キー入力部（操作部）３５と、表示部（例えば、液晶パネル）３６と、データ処理部３７とを備えて成る。通常の電話処理において受信した音声信号は音声処理部３３を介してスピーカ３８に与えられる一方、ユーザの発した音声はマイク３９にて音声信号となり、音声処理部３３で増幅等の処理がなされた音声信号は無線通信部３２によって送出される。データ処理部３７は受信したパケットに対する処理を行う。無線通信部３２は、音声やデータの送受信処理、基地局６０との間での所定のプロトコル処理（送信時処理、受信時処理）を行う。制御部３１は電話機能部３０における全体制御を行うと共に、ディジタル放送受信部２０との間の連携のための処理を行う。例えば、基本的な処理として、キー入力部３５においてテレビ機能起動キーがＯＮ操作されたときには、ディジタル放送受信部２０にＯＮ指令を与え、ディジタル放送受信部２０から出力される映像を表示部３６に与える処理や、キー入力部３５のテンキーが操作されたときに、その番号をチャンネル番号とする選局指令をディジタル放送受信部２０に与える処理などを行う。
【００１４】
次に、ディジタル放送受信部２０を図２に基づいて説明していく。地上アンテナ１は受信した信号を地上波ディジタルチューナ２に与える。地上波ディジタルチューナ２は、映像・音声データを含む高周波ディジタル変調信号のうちから特定周波数の信号を取り出す。また、地上波ディジタルチューナ２は、復調回路、逆インタリーブ回路、誤り訂正回路などを備え、選択したディジタル変調信号を復調してトランスポート・ストリームを出力する。
【００１５】
分離部（デマルチプレクサ）３は、前記トランスポート・ストリームを、ＩＥＥＥのＨ．２６４などのビデオストリーム、オーディオストリーム、及びＰＳＩ／ＳＩ（Ｐｒｏｇｒａｍ  Ｓｐｅｃｉｆｉｃ  Ｉｎｆｏｒｍａｔｉｏｎ／Ｓｅｒｖｉｃｅ  Ｉｎｆｏｒｍａｔｉｏｎ）や放送情報（地域識別子，サービス種別，放送局識別，サービス番号、リモートコントロールキーＩＤ）などに分離する。デマルチプレクサ３は、ビデオエレメンタリ・ストリームをビデオＥＳバッファ５に供給し、オーディオエレメンタリ・ストリームをオーディオＥＳバッファ４に供給し、ＰＳＩ／ＳＩや放送情報等をＣＰＵ１３に供給する。
【００１６】
ビデオデコーダ７は、ビデオＥＳバッファ５から符号化信号を読み出し、この符号化信号を復号して量子化係数や動きベクトルを求め、逆ＤＣＴ変換や動きベクトルに基づく動き補償制御などを行う。そして、ビデオデコーダ７は、縦画面用の映像データ又は横画面用の映像データを生成して出力する。縦画面用の映像データ生成を行うか又は横画面用の映像データ生成を行うかの指令は、ＣＰＵ１３からビデオデコーダ７に与えられる。ＣＰＵ１３は、ユーザ操作による画面切替の情報（キー操作情報）を制御部３１を介して受け取ったときに前記指令を出力する。オーディオデコーダ６は、オーディオＥＳバッファ４から符号化信号を読み出し、この符号化信号を復号して音声データを生成する。ＡＶ同期コントローラ８は、映像データ及び音声データの出力タイミングを制御する。
【００１７】
前記ビデオデコーダ７から出力される映像データは、ビデオバッファ９に格納される。この実施形態では、ビデオバッファ９には２フレーム分の映像データが格納されることとしている。ビデオバッファ９からは先にデコードされた映像データ（フレーム）から読み出される。読み出された映像データはスイッチ１１に供給される。
【００１８】
スイッチ１１は、ビデオバッファ９から出力される映像データをフレームメモリ１２に供給するか又はサイズ変換部１０に供給するかを切り替える。どちらに映像データを供給するかの指令は、ＣＰＵ１３からスイッチ１１に与えられる。ＣＰＵ１３は、画面切替が発生したとき、その時点から２フレーム分だけ、前記ビデオバッファ９から出力される映像データをサイズ変換部１０に供給するようにスイッチ１１を切り替え、前記２フレーム分の映像データの出力後には、通常通りビデオバッファ９からの出力映像データをフレームメモリ１２に供給するようにスイッチ１１を切り替える。
【００１９】
サイズ変換部１０は、前記スイッチ１１から入力した映像データが縦画面の映像データであるとき、この映像データを横画面の大きさにまで拡大する（画素補間処理）。一方、入力した映像データが横画面の映像データであるとき、この映像データを横画面に納まる大きさにまで縮小する（画素間引き処理）。図４に示しているように、同図（ａ）の縦画面表示での映像よりも、同図（ｂ）の横画面表示での映像の方がサイズは大きくなる。縮小処理を行うか又は拡大処理を行うかの指令は、ＣＰＵ１３からサイズ変換部１０に与えられる。サイズ変換部１０から出力される変換データはフレームメモリ１２に格納される。
【００２０】
画面切替時の映像の９０°回転処理は、前記フレームメモリ１２へのデータ書込処理或いはフレームメモリ１２からのデータ読出処理において行う。フレームメモリ１２から読み出された映像データは図示しない液晶表示パネル（画面）に供給される。
【００２１】
図３は画面切替時における映像デコードのフレームと表示されるフレームとの関係を示した説明図であり、同図（ａ）は縦画面から横画面への切り替えの場合を示しており、同図（ｂ）は横画面から縦画面への切り替えの場合を示している。また、前述したように、映像音声同期等のために、ビデオバッファ９には２フレーム分の映像データが格納される。従って、図で示している表示フレームの番号よりもデコード中のフレーム番号は２つ先行している。画面切替以降では、ビデオデコーダ７においては、新しく番号１、番号２、番号３、…のごとくフレームに対する処理が順次実行されていく。一方、映像表示においては、ビデオバッファ９内の番号「１０」「１１」のフレーム（縦画面用又は横画面用の映像データ）を利用し、これら映像データを横画面用に拡大処理又は縦画面用に縮小処理して得た映像データが直ちに液晶表示パネル（画面）に供給される。すなわち、画面切替が発生したときでも、途切れなく映像が表示される。
【００２２】
上記の例では、ＴＶ機能付き携帯電話として説明したが、携帯型或いは移動型のディジタル放送受信装置として構成してもよい。また、電話機能を有する場合には通信により受信した信号から映像ストリーム及び音声ストリームを生成することが可能であり、この通信により得たストリームについても、放送受信によるストリームと同様、上述した本願処理を行うことができる。机上型のディスプレイについても、縦配置と横配置とを切り替えることが可能であり、携帯型或いは移動型に限定されるものではない。また、画面切替の情報はユーザによるキー操作情報であるとしたが、例えば傾斜センサーを備え、この傾斜センサーの出力に基づいて画面切替（画面の縦横）をＣＰＵが判断することとしてもよい。
【図面の簡単な説明】
【００２３】
【図１】この発明の実施形態のＴＶ付き携帯電話を示したブロック図である。
【図２】この発明の実施形態のＴＶ付き携帯電話のディジタル放送受信部を示したブロック図である。
【図３】同図（ａ）は縦画面から横画面への切替時の処理内容を示した説明図であり、同図（ｂ）は横画面から縦画面への切替時の処理内容を示した説明図である。
【図４】同図（ａ）はＴＶ付き携帯電話における縦画面表示を示した説明図であり、同図（ｂ）は横画面表示を示した説明図である。
【図５】従来のディジタル放送受信部を示したブロック図である。
【符号の説明】
【００２４】
７      ビデオデコーダ
９      ビデオバッファ
１０    サイズ変換部
１１    スイッチ
１２    フレームメモリ
２０    ディジタル放送受信部
３０    電話機能部
３１    制御部
３２    無線通信部
【図１】
2006166034.tif 000003
【図２】
2006166034.tif 000004
【図３】
2006166034.tif 000005
【図４】
2006166034.tif 000006
【図５】
2006166034.tif 000007